(57)【要約】【課題】遊技機の本体を昇降自在に移動可能な遊技機を提供する。【解決手段】遊技機１０は、一片７１が遊技島１２のベース面１２ａに設置され、他片７２が筐体１を保持するＬ字状の台座７を備える。一片７１は筐体１の底面に対向する平坦部７１ａを有し、他片７２は筐体１の背面に連結して本体１１の昇降運動のみを許容する滑動手段９を有する。又、筐体１の上面に設置されて筐体１の背面に向けて回転軸８０１を突出するモータと、回転軸８０１の先端部に取り付けられる第１傘歯車８１と、第１傘歯車８１の回転が伝動される第２傘歯車８２と、第２傘歯車８２を先頭に設けて筐体１の背面に配置されるボールねじ８３と、ボールねじ８３に連結して他片７２に固定されるボールナット８４と、を有する。モータ８０を駆動すると、ボールねじ８３が回転して台座７に対して本体１１が昇降する。【選択図】図２
2008264428.tif 000002
【特許請求の範囲】
【請求項１】
前面扉が開閉する筐体を備える本体が遊技島のベース面に設置される遊技機であって、
前記遊技島に対して遊技機の本体を昇降させる移動手段を備えることを特徴とする遊技機。
【請求項２】
一片が前記遊技島のベース面に設置されて他片が前記筐体を保持するＬ字状の台座を備え、
前記台座の一片は、前記筐体の底面に対向する平坦部を有し、
前記台座の他片は、前記筐体の背面に連結して当該本体の昇降運動のみを許容する滑動手段を有し、
前記移動手段は、前記筐体の上面に設置されて前記筐体の背面に向けて回転軸を突出すモータと、前記回転軸の先端部に取り付けられる第１傘歯車と、この第１傘歯車の回転が伝動される第２傘歯車と、この第２傘歯車を先頭に設けて前記筐体の背面に配置されるボールねじと、このボールねじに連結して前記台座の他片に固定されるボールナットと、を有し、
前記モータを駆動すると前記ボールねじが回転して前記台座に対して当該本体が昇降することを特徴とする請求項１記載の遊技機。
【請求項３】
前記滑動手段は、前記台座の他片に固定される一対のレールと、これらレールにスライド可能に連結して前記筐体の背面に固定される複数のリニアモーションベアリングと、を有することを特徴とする請求項２記載の遊技機。
【請求項４】
前記前面扉は、前記モータを一方の方向に回転させて前記本体を上方に移動させる第１押しボタンスイッチと、前記モータを他方の方向に回転させて前記本体を下方に移動させる第２押しボタンスイッチと、を備えることを特徴とする請求項２又は３記載の遊技機。
【請求項５】
前記モータは、遠隔操作されることを特徴とする請求項２又は３記載の遊技機。
【発明の詳細な説明】
【技術分野】
【０００１】
本発明は、遊技機に関する。特に、パチンコ機やスロットマシンなどの遊技機の本体を昇降自在に移動可能な遊技機の構造に関する。
【背景技術】
【０００２】
例えば、パチンコ機などの遊技機を複数台設置する遊技店は、各パチンコ機の稼動率が収益に多大な影響を及ぼす。すなわち、稼動率が高いと、遊技者が遊技球を投資する量が増加する。遊技者が投資した遊技球は、所定の還元率で遊技者への賞球として払い戻すことで、遊技者の特典となる。一方、投資量から還元した量を差し引いた分は、遊技店の利益となる。この場合、稼動率は安定していることが好ましい。
【０００３】
しかし、日々の天気や時刻により稼動率が左右され、設備の規模に即した稼動率と実際の稼動率との再に格差が生じている。特に、比較的短いスパン（一日、１週間など）であると、予測した稼動率の差が顕著に現れる。
【０００４】
前述した不具合に対して、設備に順じた適正な稼動率を比較的短いスパンで安定させることができる遊技機の稼動率制御方法及び装置が発明されている（例えば、特許文献１参照）。
【０００５】
特許文献１による遊技機は、温度・湿度・降雨量に基づいて天気を判別し、荒天時は客足が鈍り、晴天時は客足が伸びるという一般的な傾向に基づいて、各パチンコ機の傾斜角度を調整して、特別図柄始動入賞口への入賞確率を変更するようにしている。例えば、荒天時には、特別図柄始動入賞口へ入賞し易くすることで、集客を上げることができ、晴天時には、特別図柄始動入賞口へ入賞し難くすることで、必要以上の集客を制限できる、としている。この結果、パチンコ機の稼動率を比較的短いスパンで平均化でき、需要と供給のバランスをとることができる、としている。
【特許文献１】特開２００２−３３１１４８号公報
【発明の開示】
【発明が解決しようとする課題】
【０００６】
特許文献１による遊技機は、予め記憶された条件式に基づいて、管理装置が複数のパチンコ機の傾斜角度を一斉に変えている。
【０００７】
しかし、特許文献１による遊技機は、遊技者の身体的個体差（身長・腕の長さ・座高など）に配慮している訳ではない。遊技者の身体的特徴に合致するように、遊技機を昇降できれば、便利であり快適に遊技できる。この場合、遊技者自らの操作により、遊技機の昇降位置を調整できることが好ましく、例えば、客層に合わせて遠隔操作により店側で遊技機の昇降位置を調整してもよい。このように、遊技機の本体の昇降位置を調整できる遊技機が望まれる。そして、以上のことが、本発明の課題といってよい。
【０００８】
本発明は、このような問題に鑑みてなされたものであり、遊技機の本体を昇降自在に移動可能な遊技機を提供することを目的とする。
【課題を解決するための手段】
【０００９】
本発明者は、上記目的を達成するため、遊技島のベース面に設置される遊技機であって、遊技島に対して遊技機の本体を昇降させる移動手段を設けることにより、遊技機の本体の昇降位置を調整できることを見出し、これに基づいて、以下のような新たな遊技機を発明するに至った。
【００１０】
（１）  前面扉が開閉する筐体を備える本体が遊技島のベース面に設置される遊技機であって、前記遊技島に対して遊技機の本体を昇降させる移動手段を備えることを特徴とする遊技機。
【００１１】
（１）の発明による遊技機は、本体は、前面扉が開閉する筐体を備えている。この本体は、遊技島のベース面に設置される。そして、（１）の発明による遊技機は、遊技島に対して遊技機の本体を昇降させる移動手段を備えている。
【００１２】
（１）の発明による遊技機は、遊技島に対して遊技機の本体を昇降させる移動手段を備えているので、遊技者の身体的特徴に合致するように、遊技機を昇降できて便利であり、快適に遊技できる。
【００１３】
（２）  一片が前記遊技島のベース面に設置されて他片が前記筐体を保持するＬ字状の台座を備え、前記台座の一片は、前記筐体の底面に対向する平坦部を有し、前記台座の他片は、前記筐体の背面に連結して当該本体の昇降運動のみを許容する滑動手段を有し、前記移動手段は、前記筐体の上面に設置されて前記筐体の背面に向けて回転軸を突出するモータと、前記回転軸の先端部に取り付けられる第１傘歯車と、この第１傘歯車の回転が伝動される第２傘歯車と、この第２傘歯車を先頭に設けて前記筐体の背面に配置されるボールねじと、このボールねじに連結して前記台座の他片に固定されるボールナットと、を有し、前記モータを駆動すると前記ボールねじが回転して前記台座に対して当該本体が昇降することを特徴とする（１）記載の遊技機。
【００１４】
（２）の発明による遊技機は、Ｌ字状の台座を備えている。台座の一片は、遊技島のベース面に保持されている。台座の他片は、筐体を保持している。又、台座の一片は、筐体の底面に対向する平坦部を有している。台座の他片は、滑動手段を有している。滑動手段は、筐体の背面に連結して本体の昇降運動のみを許容する。
【００１５】
又、（２）の発明による遊技機は、移動手段がモータ、第１及び第２傘歯車、ボールねじ、及びボールナットを有している。モータは、筐体の上面に設置されており、筐体の背面に向けて回転軸を突出している。第１傘歯車は、回転軸の先端部に取り付けられている。第２傘歯車は、第１傘歯車の回転が伝動される。ボールねじは、第２傘歯車を先頭に設けており、筐体の背面に配置されている。ボールナットは、ボールねじに連結しており、台座の他片に固定されている。
【００１６】
そして、（２）の発明による遊技機は、モータを駆動するとボールねじが回転して台座に対して本体が昇降する。
【００１７】
例えば、台座は、縦断面がＬ字状に形成された剛体で構成されてよく、一片が遊技島のベース面に設置されてよく、他片が筐体を保持している。平坦部が筐体の底面に対向するとは、筐体の底面が平坦部に当接する態様を含み、筐体の底面が平坦部から離反する態様を含んでよい。滑動手段は、後述するように、一対のレールと複数のリニアモーションベアリングとで構成してもよく、一対のスライド軸とこれらスライド軸に滑り結合する軸受とで構成してもよい。筐体の背面に連結して本体の昇降運動のみを許容する滑動手段は、（２）の発明に全て含まれる。
【００１８】
モータは、モータの回転速度を減速して出力する歯車減速器を直結してよく、この歯車減速器もモータに含まれる。モータが筐体の上面に設置されるとは、モータ本体が筐体の上面に固定される態様を含み、歯車減速器が筐体の上面に固定される態様を含むことができる。モータは、レバーシブルモータが好ましい。回転軸は、歯車減速器の出力軸であってよく、筐体の背面に向けて突出している。
【００１９】
先端部に第１傘歯車を取り付ける回転軸と、先頭に第２傘歯車を設けるボールねじとは、これら２軸が直交して交わってよく、第１傘歯車は、モータの回転及び動力を第２傘歯車に確実に伝動する。第１傘歯車の回転速度と第２傘歯車の回転速度とは、等速であってもよく、異なってもよく、適宜に設定される。
【００２０】
ボールねじは、市販品を利用できる。ボールねじは、送りねじにおけるねじ軸とナットとの間にボールを介在させた伝達機構であってよく、ねじ軸の回転運動を直線運動に変換できる。ボールねじは、低摩擦で運動を伝達できるので、機械効率が高く、駆動トルク及びトルクむらが少なくて済むという、メリットがある。
【００２１】
又、適宜に選定されたボールねじは、送りねじの回転が停止しているときは、ナットが送りねじの軸方向に容易に移動しないという利点があり、重量物を保持するのに適している。ここで、ボールねじは、前記送りねじに相当し、ボールナットは、前記ナットに相当している。
【００２２】
ボールねじは、回転運動のみが許容されるように一対の軸受で筐体の背面に保持されてよく、ボールナットは、ボールナットに設けられフランジを利用して台座の他片に固定される。ボールねじが回転されると、台座に対して遊技機の本体を昇降できる。
【００２３】
（２）の発明による遊技機は、モータ及びボールねじを用いて遊技機の本体を昇降させるので、本体の昇降位置を微細に調整できる。又、スイッチの操作や遠隔操作で本体の昇降位置を微細に調整できる。
【００２４】
（３）  前記滑動手段は、前記台座の他片に固定される一対のレールと、これらレールにスライド可能に連結して前記筐体の背面に固定される複数のリニアモーションベアリングと、を有することを特徴とする（２）記載の遊技機。
【００２５】
（３）の発明による遊技機は、遊技機の本体を円滑に昇降できる。
【００２６】
（４）  前記前面扉は、前記モータを一方の方向に回転させて前記本体を上方に移動させる第１押しボタンスイッチと、前記モータを他方の方向に回転させて前記本体を下方に移動させる第２押しボタンスイッチと、を備えることを特徴とする（２）又は（３）記載の遊技機。
【００２７】
（４）の発明による遊技機は、遊技者自らの操作により、遊技者の身体的特徴に合致するように、遊技機の昇降位置を調整できる。
【００２８】
（５）  前記モータは、遠隔操作されることを特徴とする（２）又は（３）記載の遊技機。
【００２９】
（５）の発明による遊技機は、例えば、客層に合わせて遠隔操作により店側で遊技機の昇降位置を調整できる。
【発明の効果】
【００３０】
本発明による遊技機は、遊技島に対して遊技機の本体を昇降させる移動手段を備えているので、遊技者の身体的特徴に合致するように、遊技機を昇降できて便利であり、快適に遊技できる。又、モータ及びボールねじを用いて遊技機の本体を昇降させることにより、本体の昇降位置を微細に調整できる。
【発明を実施するための最良の形態】
【００３１】
以下、図面を参照して本発明を実施するための最良の形態を説明する。
【００３２】
図１は、本発明による遊技機の一実施形態を示す斜視外観図である。図２は、前記実施形態による遊技機の右側面図である。図３は、前記実施形態による遊技機の平面図である。
【００３３】
最初に、本発明による遊技機の構成を説明する。図１から図３において、遊技機１０は、いわゆる「スロットマシン」又は「パチスロ機」である。遊技機１０は、コイン、メダル、又はトークンと呼ばれる有価価値である遊技媒体を用いて遊技する。以下では、遊技媒体はメダルを用いるものとして説明する。
【００３４】
図１から図３において、遊技機１０は、箱状の筐体１、及び開閉する前面扉２を備えている。本体１１は、筐体１と前面扉２で構成され、略直方体に形成されている。本体１１は、遊技島１２のベース面１２ａに設置されている。そして、本体１１は、遊技島１２に対して、本体１１を昇降させる移動手段を備えている。
【００３５】
図１において、筐体１の内部には、図柄が外周に配列されたリールユニット（図示せず）を配置している。表示部３に形成される表示パネル３０には、矩形状の表示窓３１が設けられている。表示窓３１は、個別の表示窓３１Ｌ・３１Ｃ・３１Ｒに区画されている。リールユニットには、各々の外周面に複数種類の図柄が描かれた３個のリール１２Ｌ・１２Ｃ・１２Ｒが回転自在に設けられている。リール１２Ｌ・１２Ｃ・１２Ｒの各々は、表示窓３１を介して観察可能に配置されている。
【００３６】
図１において、表示窓３１には、横に３本（中央及び上下）の表示ラインと、斜めに交差する２本の表示ラインが設けられている。遊技開始に先立ち投入されたメダルの枚数に対応して、所定の表示ラインが有効化（有効ライン）される。有効ラインに揃う所定の図柄の組み合わせにより、入賞が決定される。
【００３７】
図１において、表示窓３１の左方には、１−ＢＥＴランプ３ａ、２−ＢＥＴランプ３ｂ最大ＢＥＴランプ３ｃ、及び情報表示部３ｄが設けられている。１−ＢＥＴランプ３ａ、２−ＢＥＴランプ３ｂ、及び最大ＢＥＴランプ３ｃは、一のゲームを行うために賭けられたメダルの数（以下「ＢＥＴ数」という）に応じて点灯する。
【００３８】
ここで、この実施形態においては、一のゲームは、全てのリールが停止したときに終了する。１−ＢＥＴランプ３ａは、ＢＥＴ数が「１」で１本の表示ラインが有効化されたときに点灯する。２−ＢＥＴランプ３ｂは、ＢＥＴ数が「２」で３本の表示ラインが有効化されたときに点灯する。最大ＢＥＴランプ３ｃは、ＢＥＴ数が「３」で全て（５本）の表示ラインが有効化されたときに点灯する。情報表示部３ｄは、７セグメントＬＥＤからなり、貯留（クレジット）されているメダルの枚数、入賞時のメダルの払出枚数などを表示する。
【００３９】
図１において、化粧パネル部４には、機種名などが表示される化粧パネル４ａが配置されている。化粧パネル４ａを背後から照明する蛍光管などを含む照明装置（図示せず）も化粧パネル部４に含まれる。
【００４０】
図１において、化粧パネル部４の下部には、メダル受け皿６１と灰皿６２が配置されている。灰皿６２は、メダル受け皿６１に隣接されている。メダル受け皿６１及び灰皿６２は、化粧パネル部４から突出しており、開閉する前面扉２に取り付けられている。メダル受け皿６１は、メダル払出口６ａから排出されるメダルを蓄えることができる。
【００４１】
図１において、操作部５から台形に突出した台座部５１の上面には、押しボタン操作による三つのＢＥＴスイッチ５ａ・５ｂ・５ｃが配置されている。ＢＥＴスイッチ５ａは、１回の遊技に１枚のメダルを賭けられる。ＢＥＴスイッチ５ｂは、１回の遊技に２枚のメダルを賭けられる。ＢＥＴスイッチ５ｃは、１回の遊技に３枚のメダルを賭けられる。
【００４２】
図１において、台座部５１の前面の左側には、スタートレバー５ｄが傾動可能に設けられている。スタートレバー５ｄを遊技者が傾動操作することにより、三つのリール１２Ｌ・１２Ｃ・１２Ｒの回転が一斉に開始される。３つのリール１２Ｌ・１２Ｃ・１２Ｒが回転したときには、リール１２Ｌ・１２Ｃ・１２Ｒの各々の外周面に描かれている複数の図柄が、表示窓３１において変動表示される。
【００４３】
図１において、台座部５１の前面の中央には、３個のリール停止ボタン５ｅ・５ｆ・５ｇが設けられている。リール停止ボタン５ｅはリール１２Ｌに対応し、リール停止ボタン５ｆはリール１２Ｃに対応し、リール停止ボタン５ｇはリール１２Ｒに対応している。リール停止ボタン５ｅを遊技者が押動操作したときには、リール１２Ｌが停止し、リール停止ボタン５ｆを遊技者が押動操作したときには、リール１２Ｃが停止し、リール停止ボタン５ｇを遊技者が押動操作したときには、リール１２Ｒが停止する。
【００４４】
図１において、スタートレバー５ｄの左側には、払出しボタン５ｈが設けられている。遊技者が払出しボタン５ｈを押動操作したときには、投入されているメダルがメダル払出口６ａから払い出され、払い出されたメダルはメダル受け皿６１に溜められる。台座部５１の上面の右方には、遊技者がメダルを入れるための投入口５ｋが配置されている。
【００４５】
図１において、３個のリール停止ボタン５ｅ・５ｆ・５ｇの右方には、第１押しボタンスイッチ５ｍと第２押しボタンスイッチ５ｎとが設けられている。第１及び第２押しボタンスイッチ５ｍ・５ｎの前方には、開閉する透明カバー５ｐが取り付けられており、不用意な操作を防止している。透明カバー５ｐを開けると、第１及び第２押しボタンスイッチ５ｍ・５ｎを押動操作できる。
【００４６】
図１において、第１押しボタンスイッチ５ｍを押動操作したときには、後述するモータ８０を一方の方向に回転させて、本体１１を上方に移動できる。第２押しボタンスイッチ５ｎを押動操作したときには、後述するモータ８０を他方の方向に回転させて、本体１１を下方に移動できる。
【００４７】
次に、本発明による遊技に備わる移動手段の構成を説明する。図１から図３において、遊技機１０は、遊技機は、Ｌ字状の台座７を備えている。台座７の一片７１は、遊技島１２のベース面１２ａに保持されている。台座７の他片７２は、筐体１を保持している。又、台座７の一片は、筐体１の底面に対向する平坦部７１ａを有している。台座７の他片７２は、滑動手段９を有している。滑動手段９は、筐体１の背面に連結して本体１１の昇降運動のみを許容する。
【００４８】
図１から図３において、移動手段は、モータ８０、第１及び第２傘歯車８１・８２、ボールねじ８３、及びボールナット８４を有している。モータ８０は、筐体１の上面に設置されており、筐体１の背面に向けて回転軸８０１を突出している。第１傘歯車８１は、回転軸８０１の先端部に取り付けられている。第２傘歯車８２は、第１傘歯車８１の回転が伝動される。ボールねじ８３は、第２傘歯車８２を先頭に設けており、筐体１の背面に配置されている。ボールナット８４は、ボールねじ８３に連結しており、台座７の他片７２に固定されている。
【００４９】
図２において、台座７は、縦断面がＬ字状に形成された剛体で構成されている。図２において、筐体１の底面は、台座７の平坦部７１ａに当接しているが、モータ８０を駆動して、筐体１の底面が平坦部７１ａから離反できる。滑動手段９は、一対のレール９１・９１と複数のリニアモーションベアリング９２とで構成されている（図３参照）。
【００５０】
図１から図３において、モータ８０は、モータ本体８０ａの回転速度を減速して出力する歯車減速器８０ｂを直結しており、歯車減速器８０ｂもモータ８０に含まれる。歯車減速器に備わる一対のフランジが筐体１の上面に固定されているが、取り付け台付きのモータ本体８０ａが筐体１の上面に固定されてもよい。歯車減速器８０ｂの回転軸８０１は、筐体１の背面に向けて突出している。
【００５１】
図２において、先端部に第１傘歯車８１を取り付ける回転軸８０１と、先頭に第２傘歯車８２を設けるボールねじ８３とは、これら２軸が直交して交わっている。第１傘歯車８１は、モータ８０の回転及び動力を第２傘歯車８２に確実に伝動する。第１傘歯車８１の回転速度と第２傘歯車８２の回転速度とは、等速となっている。第１及び第２傘歯車８１・８２は、カバー８０ｃで覆われている（図１参照）。
【００５２】
図２において、第２傘歯車８２は、中継軸８２ａの先頭に取り付けられている。中継軸８２ａの両端部は、一対の軸受台８２１・８２１で回転可能に保持されている。一対の軸受台８２１・８２１は、筐体１の背面に固定されている。
【００５３】
図２において、中継軸８２ａの基端部とボールねじ８３の先端部とは、自在継手となるベローズカップリング８２ｂで連結されている。ベローズカップリング８２ｂは、中継軸８２ａとボールねじ８３との軸ずれを吸収して回転を伝達できる。ボールねじ８３の両端部は、一対の軸受台８３１・８３２で回転可能に保持されている。一対の軸受台８３１・８３２は、筐体１の背面に固定されている。
【００５４】
図２において、ボールねじ８３は、市販品を利用できる。ボールねじ８３は、送りねじにおけるねじ軸とナットとの間にボールを介在させた伝達機構であってよく、ねじ軸の回転運動を直線運動に変換できる。
【００５５】
図２において、ボールねじ８３は、回転運動のみが許容されるように軸受台８３１・８３２で筐体１の背面に保持されている。ボールねじ８３のスラスト荷重を支持するスラスト軸受を軸受台８３２に設けることが好ましい。ボールナット８４は、ボールナット８４に設けられフランジ８４１を利用して台座７の他片７２に固定されている。
【００５６】
図２又は図３において、一対のレール９１・９１は、一対のＣ形チャンネル部材９３・９３を介して、台座７の他片７２に固定されている。複数のリニアモーションベアリング９２は、一対のレール９１・９１にスライド可能に連結して筐体１の背面に固定されている。
【００５７】
次に、本発明による遊技機の作用を説明する。図１から図３において、第１押しボタンスイッチ５ｍを押動操作すると、モータ８０を一方の方向に回転させて、遊技島１２に対して本体１１を上方に移動できる。第２押しボタンスイッチ５ｎを押動操作すると、モータ８０を他方の方向に回転させて、遊技島１２に対して本体１１を下方に移動できる。
【００５８】
このように、本発明による遊技機は、遊技島に対して遊技機の本体を昇降させる移動手段を備えているので、遊技者の身体的特徴（身長・腕の長さ・座高など）に合致するように、遊技機を昇降できて便利であり、快適に遊技できる。
【００５９】
又、本発明による遊技機は、モータ及びボールねじを用いて遊技機の本体を昇降させるので、本体の昇降位置を微細に調整できる。更に、本体の昇降運動のみを許容する滑動手段が、一対のレールと複数のリニアモーションベアリングとで構成されているので、遊技機の本体を円滑に昇降できる。
【００６０】
以上のとおり、本発明による遊技機は、遊技者自らの操作により、遊技者の身体的特徴に合致するように、遊技機の昇降位置を調整できる実施形態を例示した。一方、本体を昇降するモータが遠隔操作されるように構成してもよく、例えば、客層に合わせて遠隔操作により店側で遊技機の昇降位置を調整できる。
【図面の簡単な説明】
【００６１】
【図１】本発明による遊技機の一実施形態を示す斜視外観図である。
【図２】前記実施形態による遊技機の右側面図である。
【図３】前記実施形態による遊技機の平面図である。
【符号の説明】
【００６２】
１  筐体
２  前面扉
７  台座
９  滑動手段
１０  遊技機
１１  本体
１２  遊技島
１２ａ  ベース面
７１  台座の一片
７１ａ  平坦部
７２  台座の他片
８０  モータ（移動手段）
８１  第１傘歯車（移動手段）
８２  第２傘歯車（移動手段）
８３  ボールねじ（移動手段）
８４  ボールナット（移動手段）
【図１】
2008264428.tif 000003
【図２】
2008264428.tif 000004
【図３】
2008264428.tif 000005